【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
ビデオデータをコーディングするための方法であって、
前記ビデオデータの第1のブロックがイントラモードコーディングされると判断するステップであって、前記ビデオデータの前記第1のブロックは、第1の高さおよび第1の幅を有する、ステップと、
閾値より大きい面積を有する前記第1のブロックに対応する前記第1の高さおよび前記第1の幅に基づいて、ビデオデータの前記第1のブロック用の、N個の利用可能なイントラ予測モードのグループを識別するステップであって、Nは、2よりも大きい整数値である、ステップと、
N個の利用可能なイントラ予測モードの前記グループから、前記ビデオデータの前記第1のブロックをコーディングするのに使われる第1のイントラ予測モードを選択するステップと、
前記第1のイントラ予測モードを使用して前記第1のブロックをコーディングするステップと、
前記ビデオデータの第2のブロックがイントラモードコーディングされると判断するステップであって、前記ビデオデータの前記第2のブロックは第2の高さおよび第2の幅を有する、ステップと、
前記閾値より小さい面積を有する前記第2のブロックに対応する前記第2の高さおよび前記第2の幅に基づいて、前記ビデオデータの前記第2のブロック用の、M個の利用可能なイントラ予測モードのグループを識別するステップであって、Mは、Nより小さい整数値であり、2よりも大きい、ステップと、
M個の利用可能なイントラ予測モードの前記グループから、前記ビデオデータの前記第2のブロックをコーディングするのに使われる第2のイントラ予測モードを選択するステップとを含む方法。
【請求項２】
前記ビデオデータ中で前記閾値をシグナリングするステップをさらに含む、請求項1に記載の方法。
【請求項３】
N個の利用可能なイントラ予測モードの前記グループの中の各イントラ予測モードは、0〜N-1にわたる一意のインデックスを有し、M個の利用可能なイントラ予測モードの前記グループの中の各イントラ予測モードは、0〜M-1にわたる一意のインデックスを有する、請求項1に記載の方法。
【請求項４】
前記第1の高さは前記第1の幅よりも大きく、前記方法は、
前記ビデオデータの第2のブロックがイントラモードコーディングされると判断するステップであって、前記ビデオデータの前記第2のブロックは第2の高さおよび第2の幅を有し、前記第2の幅は前記第2の高さよりも大きい、ステップと、
前記第2の高さおよび前記第2の幅に基づいて、前記ビデオデータの前記第2のブロック用の、M個の利用可能なイントラ予測モードのグループを識別するステップであって、M個の利用可能なイントラ予測モードの前記グループは、N個の利用可能なイントラ予測モードの前記グループには含まれない少なくとも1つのイントラ予測モードを含む、ステップと、
M個の利用可能なイントラ予測モードの前記グループから、前記ビデオデータの前記第2のブロックをコーディングするのに使われる第2のイントラ予測モードを選択するステップとをさらに含む、請求項1に記載の方法。
【請求項５】
前記第1のイントラ予測モードを使用して前記第1のブロックをコーディングするステップは、
前記第1のイントラ予測モードを使用して前記第1のブロックを符号化するステップ、または
前記第1のイントラ予測モードを使用して前記第1のブロックを復号するステップのうちの1つを含む、請求項1に記載の方法。
【請求項６】
ビデオデータをコーディングするためのデバイスであって、
前記ビデオデータを記憶するように構成されたメモリと、
1つまたは複数のプロセッサとを備え、前記1つまたは複数のプロセッサは、
前記ビデオデータの第1のブロックがイントラモードコーディングされると判断することであって、前記ビデオデータの前記第1のブロックは、第1の高さおよび第1の幅を有する、判断することと、
閾値より大きい面積を有する前記第1のブロックに対応する前記第1の高さおよび前記第1の幅に基づいて、ビデオデータの前記第1のブロック用の、N個の利用可能なイントラ予測モードのグループを識別することであって、Nは、2よりも大きい整数値である、識別することと、
N個の利用可能なイントラ予測モードの前記グループから、前記ビデオデータの前記第1のブロックをコーディングするのに使われる第1のイントラ予測モードを選択することと、
前記第1のイントラ予測モードを使用して前記第1のブロックをコーディングすることと、
前記ビデオデータの第2のブロックがイントラモードコーディングされると判断することであって、前記ビデオデータの前記第2のブロックは第2の高さおよび第2の幅を有する、判断することと、
前記閾値より小さい面積を有する前記第2のブロックに対応する前記第2の高さおよび前記第2の幅に基づいて、前記ビデオデータの前記第2のブロック用の、M個の利用可能なイントラ予測モードのグループを識別することであって、Mは、Nより小さい整数値であり、2よりも大きい、識別することと、
M個の利用可能なイントラ予測モードの前記グループから、前記ビデオデータの前記第2のブロックをコーディングするのに使われる第2のイントラ予測モードを選択することと、
を行うように構成される、デバイス。
【請求項７】
前記1つまたは複数のプロセッサは、
前記ビデオデータ中で前記閾値をシグナリングすることを行うようにさらに構成される、請求項6に記載のデバイス。
【請求項８】
N個の利用可能なイントラ予測モードの前記グループの中の各イントラ予測モードは、0〜N-1にわたる一意のインデックスを有し、M個の利用可能なイントラ予測モードの前記グループの中の各イントラ予測モードは、0〜M-1にわたる一意のインデックスを有する、請求項6に記載のデバイス。
【請求項９】
前記第1の高さは前記第1の幅よりも大きく、前記1つまたは複数のプロセッサは、
前記ビデオデータの第2のブロックがイントラモードコーディングされると判断することであって、前記ビデオデータの前記第2のブロックは第2の高さおよび第2の幅を有し、前記第2の幅は前記第2の高さよりも大きい、判断することと、
前記第2の高さおよび前記第2の幅に基づいて、前記ビデオデータの前記第2のブロック用の、M個の利用可能なイントラ予測モードのグループを識別することであって、M個の利用可能なイントラ予測モードの前記グループは、N個の利用可能なイントラ予測モードの前記グループには含まれない少なくとも1つのイントラ予測モードを含む、識別することと、
M個の利用可能なイントラ予測モードの前記グループから、前記ビデオデータの前記第2のブロックをコーディングするのに使われる第2のイントラ予測モードを選択することとを行うようにさらに構成される、請求項6に記載のデバイス。
【請求項１０】
前記第1のイントラ予測モードを使用して前記第1のブロックをコーディングするために、前記1つまたは複数のプロセッサは、
前記第1のイントラ予測モードを使用して前記第1のブロックを符号化すること、または
前記第1のイントラ予測モードを使用して前記第1のブロックを復号することのうちの少なくとも1つを行うようにさらに構成される、請求項6に記載のデバイス。
【請求項１１】
符号化ビデオデータを受信するように構成された受信機をさらに備える、前記ビデオデータを復号するように構成されたワイヤレス通信デバイスを備える、請求項6に記載のデバイス。
【請求項１２】
前記ワイヤレス通信デバイスが電話ハンドセットを備え、前記受信機が、ワイヤレス通信規格に従って、前記符号化ビデオデータを備える信号を復調するように構成される、請求項11に記載のデバイス。
【請求項１３】
コーディングするステップが復号するステップを備え、前記方法が、
ワイヤレス通信デバイスの受信機において前記ビデオデータを受信するステップと、
前記ワイヤレス通信デバイスのメモリ内に前記ビデオデータを記憶するステップと、
前記ワイヤレス通信デバイスの1つまたは複数のプロセッサ上で前記ビデオデータを処理するステップをさらに含む、請求項1に記載の方法。
【請求項１４】
前記ワイヤレス通信デバイスが電話ハンドセットを備え、前記ワイヤレス通信デバイスの受信機において前記ビデオデータを受信するステップが、前記ビデオデータを備える信号を、ワイヤレス通信規格に従って復調するステップを含む、請求項13に記載の方法。
【請求項１５】
コーディングするステップが符号化するステップを備え、前記方法が、
ワイヤレス通信デバイスのメモリに前記ビデオデータを記憶するステップと、
前記ワイヤレス通信デバイスの1つまたは複数のプロセッサ上で前記ビデオデータを処理するステップと、
前記ワイヤレス通信デバイスの送信機から前記ビデオデータを送信するステップと
をさらに含む、請求項1に記載の方法。
【請求項１６】
前記ワイヤレス通信デバイスが電話ハンドセットを備え、前記ワイヤレス通信デバイスの前記送信機において前記ビデオデータを送信するステップが、前記ビデオデータを備える信号を、ワイヤレス通信規格に従って変調するステップを含む、請求項15に記載の方法。
【請求項１７】
前記デバイスが、前記ビデオデータを符号化するように構成されたワイヤレス通信デバイスを備え、前記デバイスが符号化ビデオデータを送信するように構成された送信機をさらに備える、請求項6に記載のデバイス。
【請求項１８】
前記ワイヤレス通信デバイスが電話ハンドセットを備え、前記送信機が前記符号化ビデオデータを備える信号を、ワイヤレス通信規格に従って変調するように構成される、請求項17に記載のデバイス。
【請求項１９】
1つまたは複数のプロセッサに実行されると、前記1つまたは複数のプロセッサに、
ビデオデータの第1のブロックがイントラモードコーディングされると判断することであって、前記ビデオデータの前記第1のブロックは、第1の高さおよび第1の幅を有する、ことと、
閾値より大きい面積を有する前記第1のブロックに対応する前記第1の高さおよび前記第1の幅に基づいて、ビデオデータの前記第1のブロック用の、N個の利用可能なイントラ予測モードのグループを識別することであって、Nは、2よりも大きい整数値である、ことと、
N個の利用可能なイントラ予測モードの前記グループから、前記ビデオデータの前記第1のブロックをコーディングするのに使われる第1のイントラ予測モードを選択することと、
前記第1のイントラ予測モードを使用して前記第1のブロックをコーディングすることと、
前記ビデオデータの第2のブロックがイントラモードコーディングされると判断することであって、前記ビデオデータの前記第2のブロックは第2の高さおよび第2の幅を有する、ことと、
前記閾値より小さい面積を有する前記第2のブロックに対応する前記第2の高さおよび前記第2の幅に基づいて、前記ビデオデータの前記第2のブロック用の、M個の利用可能なイントラ予測モードのグループを識別することであって、Mは、Nより小さい整数値であり、2よりも大きい、ことと、
M個の利用可能なイントラ予測モードの前記グループから、前記ビデオデータの前記第2のブロックをコーディングするのに使われる第2のイントラ予測モードを選択することと
を行わせる命令を記憶した非一時的コンピュータ可読記憶媒体。
【請求項２０】
実行時に前記1つまたは複数のプロセッサに
前記ビデオデータ中で前記閾値をシグナリングすることを行わせる命令をさらに含む、請求項19に記載の非一時的コンピュータ可読記憶媒体。
【請求項２１】
N個の利用可能なイントラ予測モードの前記グループの中の各イントラ予測モードは、0〜N-1にわたる一意のインデックスを有し、M個の利用可能なイントラ予測モードの前記グループの中の各イントラ予測モードは、0〜M-1にわたる一意のインデックスを有する、請求項19に記載の非一時的コンピュータ可読記憶媒体。
【請求項２２】
前記第1の高さは前記第1の幅よりも大きく、前記非一時的コンピュータ可読記憶媒体は、実行時に前記1つまたは複数のプロセッサに、
前記ビデオデータの第2のブロックがイントラモードコーディングされると判断することであって、前記ビデオデータの前記第2のブロックは第2の高さおよび第2の幅を有し、前記第2の幅は前記第2の高さよりも大きい、ことと、
前記第2の高さおよび前記第2の幅に基づいて、前記ビデオデータの前記第2のブロック用の、M個の利用可能なイントラ予測モードのグループを識別することであって、M個の利用可能なイントラ予測モードの前記グループは、N個の利用可能なイントラ予測モードの前記グループには含まれない少なくとも1つのイントラ予測モードを含む、ことと、
M個の利用可能なイントラ予測モードの前記グループから、前記ビデオデータの前記第2のブロックをコーディングするのに使われる第2のイントラ予測モードを選択することとを行わせる命令をさらに含む、請求項19に記載の非一時的コンピュータ可読記憶媒体。
【請求項２３】
実行時に前記1つまたは複数のプロセッサに、
前記第1の高さおよび前記第1の幅に基づいて前記第1のブロックの領域を判断することと、
前記領域に基づいて、Nについての値を決定することと
を行わせる命令をさらに含む、請求項19に記載の非一時的コンピュータ可読記憶媒体。
【請求項２４】
実行時に前記1つまたは複数のプロセッサに、
前記第1のイントラ予測モードを使用して前記第1のブロックを符号化すること、または
前記第1のイントラ予測モードを使用して前記第1のブロックを復号することのうちの1つによって、前記第1のイントラ予測モードを使用して前記第1のブロックをコーディングすることを行わせる命令をさらに含む、請求項19に記載の非一時的コンピュータ可読記憶媒体。